(57)【要約】【課題】  室内スペースでの使用に適した画像消去装置を提供すること。【解決手段】  本体ケース１には蓋ケース２が開閉可能に装着されており、本体ケース１内および蓋ケース２内には下加熱板３および上加熱板４が収納されている。この本体ケース１は印刷物が束上に投入されるものであり、下加熱板３および上加熱板４は蓋ケース２が閉鎖状態に操作されることに基いて印刷物を挟み込む。この印刷物には消去可能な画像形成材料を用いて画像が形成されており、画像は上下両側から加熱されることに基いて消去される。この構成の場合、溶媒の取扱いに配慮する必要がなくなるので、室内スペースで安全に運転を行うことができる。【選択図】  図１
2006035567.tif 000002
【特許請求の範囲】
【請求項１】
媒体を加熱することに基いて媒体に形成された画像を消去する加熱手段と、
前記媒体を冷却する冷却手段と、
運転コースを指定するための操作手段と、
前記加熱手段および前記冷却手段を前記運転コースの設定結果に応じた内容で駆動制御する制御手段と
を備えたことを特徴とする画像消去装置。
【請求項２】
前記操作手段は、操作回数に応じて運転コースを指定するものであることを特徴とする請求項１記載の画像消去装置。
【請求項３】
前記操作手段は、前記媒体の分量に応じて運転コースを指定するものであることを特徴とする請求項１〜２のいずれかに記載の画像消去装置。
【請求項４】
媒体を加熱することに基いて媒体に形成された画像を消去する加熱手段と、
前記媒体を冷却する冷却手段と、
前記加熱手段および前記冷却手段を駆動制御する制御手段と、
運転の進行状態を報知する運転報知手段と
を備えたことを特徴とする画像消去装置。
【請求項５】
媒体を加熱することに基いて媒体に形成された画像を消去する加熱手段と、
前記媒体を冷却する冷却手段と、
前記加熱手段および前記冷却手段を駆動制御する制御手段と、
前記媒体が設定温度に比べて昇温していることを報知する昇温報知手段と
を備えたことを特徴とする画像消去装置。
【請求項６】
媒体を加熱することに基いて媒体に形成された画像を消去する加熱手段と、
前記加熱手段を駆動制御する制御手段と、
前記媒体を冷却する冷却手段と、
前記加熱手段の温度を検出する温度検出手段とを備え、
前記制御手段は、前記温度検出手段の検出結果が設定温度に到達してから設定時間が経過することに基いて前記加熱手段を駆動停止することを特徴とする画像消去装置。
【発明の詳細な説明】
【技術分野】
【０００１】
本発明は、消去可能な画像形成材料により形成された画像を消去する画像消去装置に関する。
【背景技術】
【０００２】
上記画像消去装置には、紙上で発色した画像形成材料を溶媒に接触させ、紙から溶媒を除去する構成のものがある。
【特許文献１】特開平１１−３１６５２７号公報
【特許文献２】特開２０００−２８４５０号公報
【特許文献２】特開２００２−３８０３９号公報
【発明の開示】
【発明が解決しようとする課題】
【０００３】
上記画像消去装置の場合、溶媒の取扱いに配慮する必要があるので、室内スペースでの使用に適していない。
本発明は上記事情に鑑みてなされたものであり、その目的は、室内スペースでの使用に適した画像消去装置を提供することにある。
【課題を解決するための手段】
【０００４】
請求項１〜６記載の画像消去装置は、媒体を加熱することに基いて媒体に形成された画像を消去する加熱手段と、前記媒体を冷却する冷却手段と、前記加熱手段および前記冷却手段を駆動制御する制御手段とを備えたところに特徴を有する。
【発明の効果】
【０００５】
請求項１〜６記載の画像消去装置によれば、媒体を加熱することに基いて媒体に形成された画像を消去している。このため、溶媒の取扱いに配慮する必要がなくなるので、室内スペースでの使用に適したものになる。
【発明を実施するための最良の形態】
【０００６】
＜実施例１＞
本体ケース１には、図１に示すように、蓋ケース２が開閉可能に装着されており、本体ケース１内および蓋ケース２内には下加熱板３および上加熱板４が収納されている。この本体ケース１は媒体に相当する紙等の印刷物が束上に投入されるものであり、下加熱板３および上加熱板４は蓋ケース２が閉鎖状態に操作されることに基いて印刷物を挟み込む。この印刷物は消去可能な画像形成材料を用いて画像が形成されたものであり、画像形成材料は呈色性化合物と顕色剤の作用で発色している。この画像形成材料が加熱されたときには画像形成材料中のバインダー樹脂と呈色性化合物とが優先的に相溶性を示し、消色剤を使用しているときには顕色剤と消色剤とが反応し、消色する。即ち、画像消去装置は印刷物を上下両側から加熱することに基いて画像を消去するものである。以下、画像消去装置の詳細構成を説明する。
【０００７】
本体ケース１は複数毎の金属板を上面が開口する矩形箱状に接合することから構成されたものであり、本体ケース１内には、図２に示すように、四隅部に位置して取付台５が固定されている。これら各取付台５は合成樹脂を材料に形成されたものであり、各取付台５の上端部には径小なヘッド部６が一体成形されている。
本体ケース１内には断熱板７が収納されており、断熱板７の四隅部には貫通孔が形成されている。これら各貫通孔内には取付台５のヘッド部６が挿入されており、断熱板７は四隅部が取付台５によって支持されている。この断熱板７は本体ケース１内を上方の消去室８および下方の断熱室９に区画する金属板からなるものであり、上方の消去室８内には金属製の断熱ケース１０が収納されている。この断熱ケース１０は上面が開口する矩形箱状をなすものであり、４個のヘッド部６の上端面に固定されている。
【０００８】
各取付台５には下スプリングガイド１１が一体成形されている。これら各下スプリングガイド１１の外周面には圧縮コイルスプリングからなるヒータスプリング１２が嵌合されており、各ヒータスプリング１２の上端部は断熱板７を貫通して断熱ケース１０内に突出している。この断熱ケース１０内には金属製の下加熱板３が収納されており、下加熱板３の四隅部には上スプリングガイド１３が固定されている。これら各上スプリングガイド１３はヒータスプリング１２内に挿入されており、下加熱板３は４個のヒータスプリング１２によって弾性的に支持されている。
【０００９】
下加熱板３の下面には下ヒータ押え１４がねじ止めされている。この下ヒータ押え１４と下加熱板３との間には下ヒータ１５が介在されており、下ヒータ１５は下ヒータ押え１４の押え力で下加熱板３に密着している。これら下加熱板３と下ヒータ押え１４と下ヒータ１５は下加熱源を構成するものであり、下加熱板３は下ヒータ１５が発熱することに基いて昇温する。この下加熱板３の上面には、図１に示すように、金属製の用紙トレイ１６が載置されている。この用紙トレイ１６は上面が開口する矩形皿状をなすものであり、印刷物が投入される投入容器として機能する。
【００１０】
本体ケース１の後端部には、図２に示すように、蓋ケース２が水平な軸２ａを中心に回動可能に装着されており、蓋ケース２には下方へ突出する複数の台座１７が形成されている。この蓋ケース２は本体ケース１の上面を開閉するものであり、複数の台座１７には金属製の上断熱ケース１８が固定されている。この上断熱ケース１８は下面が開口する矩形箱状をなすものであり、蓋ケース２の閉鎖状態では下断熱ケース１０と上断熱ケース１８との間に空間状の加熱室が形成される。
【００１１】
上断熱ケース１８内には複数のスペーサ１９を介して金属製の上加熱板４が固定されており、蓋ケース２の閉鎖状態では印刷物がヒータスプリング１２のばね力で上加熱板４に接触する。この上加熱板４の上面には上ヒータ押え２０が固定されている。この上ヒータ押え２０と上加熱板４との間には上ヒータ２１が介在されており、上ヒータ２１は上ヒータ押え２０の押え力で上加熱板４に密着している。これら上加熱板４と上ヒータ押え２０と上ヒータ２１は上加熱源を構成するものであり、上加熱板４は上ヒータ２１が発熱することに基いて昇温し、用紙トレイ１６内の印刷物を上方から加熱する。尚、符号２３は下ヒータ１５および上ヒータ２１から構成される加熱手段を示している。
【００１２】
上ヒータ押え２０および下ヒータ押え１４にはサーミスタからなる上温度センサ２２（図６参照）および下温度センサ７９（図６参照）が固定されており、上温度センサ２２の感温部および下温度センサ７９の感温部は上ヒータ２１および下ヒータ１５に接触している。これら上温度センサ２２および下温度センサ７９は温度検出手段を構成するものであり、上ヒータ２１の表面温度および下ヒータ１５の表面温度に応じたレベルの電気信号を出力する。
【００１３】
断熱板７にはダクト２４が固定されており、ダクト２４には円筒状のファンケーシング２５が固定されている。このファンケーシング２５にはファンモータ２６（図６参照）が固定されており、ファンモータ２６の回転軸には、図２に示すように、軸流形の冷却ファン２７が固定されている。この冷却ファン２７はファンケーシング２５内に収納されたものであり、本体ケース１の底板には冷却ファン２７の下方に位置して吸気口２８が形成されている。この吸気口２８は複数の貫通孔からなるものであり、冷却ファン２７はファンモータ２６が駆動することに基いて外気を吸気口２８から本体ケース１内に吸引し、ダクト２４を通して加熱室内に送風することに基いて加熱室内の印刷物を冷却する。尚、符号２９はファンモータ２６および冷却ファン２７から構成された冷却ファン装置を示すものであり、冷却ファン装置２９は冷却手段に相当する。
【００１４】
本体ケース１の前端部には合成樹脂製の前カバー３０が着脱可能に装着されている。この前カバー３０と本体ケース１の前板との間には空間状の電装室３１が形成されており、電装室３１は前カバー３０を着脱することに基いて閉開される。この電装室３１内には、図３に示すように、機構板３２が収納されている。この機構板３２は本体ケース１の前板に固定されたものであり、機構板３２には略Ｌ字状のスイッチレバー３３が軸３４を中心に回動可能に装着されている。このスイッチレバー３３は突状の操作部３５を有するものであり、スイッチレバー３３と機構板３２との間にはレバースプリング３６が装着されている。このレバースプリング３６は引張コイルスプリングからなるものであり、スイッチレバー３３はレバースプリング３６のばね力で矢印方向へ付勢されている。
【００１５】
蓋ケース２にはロックリング３７が固定されている。このロックリング３７は蓋ケース２の閉鎖状態で本体ケース１の電装室３１内に侵入するものであり、ロックリング３７が電装室３１内に侵入した状態ではスイッチレバー３３がロックリング３７によって傾斜状態に押圧操作され、ロックリング３７が電装室３１内から脱出した状態ではスイッチレバー３３がレバースプリング３６のばね力で水平状態に回動する。即ち、ロックリング３７はスイッチレバー３３を操作するレバー操作手段に相当するものであり、スイッチレバー３３は蓋ケース２の開放状態および閉鎖状態で水平状態および傾斜状態になる。
【００１６】
機構板３２にはマイクロスイッチからなる蓋スイッチ３８が固定されており、蓋ケース２の閉鎖状態ではスイッチレバー３３の操作部３５が蓋スイッチ３８のプランジャから離間することに基いて蓋スイッチ３８がオフされ、蓋ケース２の開放状態ではスイッチレバー３３の操作部３５が蓋スイッチ３８のプランジャを上方へ押圧することに基いて蓋スイッチ３８がオンされる。即ち、蓋スイッチ３８は蓋ケース２の開閉に応じて電気的な状態が変化するものであり、蓋ケース２の開閉を検出する開閉検出手段に相当する。
【００１７】
機構板３２にはロックケース３９が固定されており、ロックケース３９内には、図４に示すように、ロックモータ４０が収納されている。このロックモータ４０は減速ギア機構を内蔵するギアドモータからなるものであり、ロックモータ４０の回転軸４１には円形状の回転板４２が固定されている。この回転板４２の外周部にはピン状のカム４３が固定されており、カム４３はロックモータ４０が駆動することに基いて回転軸４１を中心に円周方向へ移動する。
【００１８】
ロックケース３９には円筒状の軸受４４が形成されており、軸受４４の先端部には円環状のストッパ４５が形成されている。この軸受４４の内周面にはプランジャ４６がスライド可能に嵌合されており、プランジャ４６の先端部には円柱状のロックピン４７および円柱状のばね受け４８が固定されている。このばね受け４８の外周面には圧縮コイルスプリングからなるロックスプリング４９の一端部が嵌合されており、ロックスプリング４９の他端部は円筒状のばね受け５０の内周面に嵌合されている。このばね受け５０はロックケース３９内に固定されたものであり、プランジャ４６はロックスプリング４９のばね力で付勢されている。
【００１９】
プランジャ４６には従動板５１が固定されている。この従動板５１は正方形状の貫通孔５２を有するものであり、貫通孔５２内にはカム４３が挿入されている。この貫通孔５２の内面はカム面として機能するものであり、図４の（ａ）に示すように、カム４３がカム面５２から離間した状態ではプランジャ４６の先端面がロックスプリング４９のばね力でロックケース３９のストッパ４５に接触する。この状態ではロックピン４７がロックケース３９内から突出したロック状態に保持され、図３に示すように、蓋ケース２のロックリング３７内に係合している。これらロックピン４７およびロックリング３７間の係合状態では蓋ケース２が閉鎖状態にロックされ、蓋ケース２の開放操作が禁止される。
【００２０】
ロックモータ４０の回転軸４１がロックピン４７のロック状態で図４の矢印方向へ回転したときにはカム４３がカム面５２を押圧し、図４の（ｂ）に示すように、ロックピン４７をロックスプリング４９のばね力に抗してロックケース３９内に退避させる。この状態ではカム面５２がロックスプリング４９のばね力でカム４３に接触することに基いてロックピン４７が突出不能に拘束され、ロックケース３９内に退避したアンロック状態に保持される。このロックピン４７のアンロック状態ではロックピン４７およびロックリング３７間が係合解除され、蓋ケース２の開放操作が許容される。
【００２１】
ロックケース３９内には板ばね製の固定コンタクト５３および板ばね製の可動コンタクト５４が収納されている。これら固定コンタクト５３および可動コンタクト５４はロックスイッチ５５（図６参照）を構成するものであり、ロックピン４７のロック状態では、図４の（ａ）に示すように、スイッチ操作部５６が可動コンタクト５４を押圧操作することに基いて固定コンタクト５３に接触させている。このスイッチ操作部５６は従動板５１に形成されたものであり、ロックピン４７のアンロック状態では、図４の（ｂ）に示すように、スイッチ操作部５６が可動コンタクト５４から離間し、可動コンタクト５４が復元力で固定コンタクト５３から離間する。即ち、ロックスイッチ５５はロックピン４７の進退を検出するものであり、ロックピン４７のロック状態およびアンロック状態でオンおよびオフされる。
【００２２】
本体ケース１の底板には、図２に示すように、凹部５７が形成されており、凹部５７の上方には制御基板５８が配置されている。この制御基板５８は本体ケース１の底板に固定されたものであり、制御基板５８の上面には、図６に示すように、マイクロコンピュータを主体に構成された制御装置５９が搭載されている。この制御装置５９はＣＰＵ６０・ＲＯＭ６１・ＲＡＭ６２を有するものであり、下ヒータ１５・上ヒータ２１・ファンモータ２６・ロックモータ４０を駆動制御する制御手段に相当する。
【００２３】
前カバー３０の左右方向中央部には、図１に示すように、操作パネル６３が形成されている。この操作パネル６３は上方へ向うに従って後方へ傾斜する傾斜面部を称するものであり、操作パネル６３の前面には、図５に示すように、操作シート６４が固定されている。この操作パネル６３には電源ＬＥＤ６５・消去ＬＥＤ６６・冷却ＬＥＤ６７・ロックＬＥＤ６８が固定されている。これら電源ＬＥＤ６５・消去ＬＥＤ６６・冷却ＬＥＤ６７・ロックＬＥＤ６８は運転報知手段に相当する運転表示器６９（図６参照）を構成するものであり、制御装置５９は電源ＬＥＤ６５〜ロックＬＥＤ６８を点灯制御することに基いて使用者に運転内容を報知する。尚、ロックＬＥＤ６８は昇温報知手段に相当するものである。
【００２４】
操作パネル６３には、図５に示すように、入スイッチ７０および切スイッチ７１が装着されている。これら入スイッチ７０および切スイッチ７１は自己復帰形のプッシュスイッチからなるものであり、図７に示すように、電源回路７２の給電路に介在されている。この電源回路７２は下ヒータ１５・上ヒータ２１・ファンモータ２６・ロックモータ４０・制御装置５９・電源ＬＥＤ６５〜ロックＬＥＤ６８の駆動電源を生成するものであり、入スイッチ７０が操作されたときには電源回路７２の給電路が閉成され、電源回路７２から制御装置５９に駆動電源が与えられることに基いて制御装置５９が起動する。この電源回路７２の給電路には電源リレー７３の常開接点７４が介在されており、制御装置５９は起動直後に電源リレー７３のコイル７５を励磁することに基いて接点７４を閉成し、主電源を投入する。この主電源の投入状態で切スイッチ７１が操作されたときには電源回路７２の給電路が開放され、主電源が遮断されることに基いて制御装置５９が停止する。
【００２５】
電源回路７２の給電路には、図７に示すように、上サーマルスイッチ７６および下サーマルスイッチ７８が介在されている。これら上サーマルスイッチ７６および下サーマルスイッチ７８は上ヒータ押え２０および下ヒータ押え１４に装着されたものであり、上ヒータ２１の表面温度および下ヒータ１５の表面温度が異常値（具体的には２００°Ｃ）に到達することに基いて動作し、給電路を開放することに基いて主電源を遮断する。
【００２６】
操作パネル６３には、図５に示すように、スタートスイッチ７７が装着されている。このスタートスイッチ７７は操作手段に相当するものであり、制御装置５９はスタートスイッチ７７からの出力信号に基いて運転コースを設定し、運転コースの設定結果に基いて下ヒータ１５・上ヒータ２１・ファンモータ２６・ロックモータ４０を駆動制御することで画像の消去運転を実行する。この処理は制御装置５９のＣＰＵ６０がＲＯＭ６１に予め記録された制御プログラムに基いて行うものであり、ＲＡＭ６２はワークエリアとして機能する。以下、制御装置５９の制御プログラムについて説明する。
【００２７】
制御装置５９のＣＰＵ６０は図８のステップＳ１で電源リレー７３のコイル７５を励磁することに基いて主電源を投入し、ステップＳ２で電源ＬＥＤ６５を点灯することに基いて主電源の投入を使用者に報知する。そして、ステップＳ３でパワーオフ時間の計測動作を開始し、ステップＳ４でスタートスイッチ７７の操作状態を判断する。
ＣＰＵ６０はステップＳ４でスタートスイッチ７７の非操作を検出すると、ステップＳ５でパワーオフ時間の計測結果をＲＯＭ６１に予め記録された上限値と比較する。ここでパワーオフ時間の計測結果が上限値に到達したことを検出したときには図９のステップＳ３６へ移行し、電源リレー７３のコイル７５を消拠することに基いて主電源を遮断する。即ち、入スイッチ７０の操作からパワーオフ時間が経過してもスタートスイッチ７７が操作されないときには主電源が自動的に遮断される。
【００２８】
ＣＰＵ６０は図８のステップＳ４でスタートスイッチ７７の操作を検出すると、ステップＳ６でスタート待ち時間の計測動作を開始し、ステップＳ７で運転コースを消去コースに初期設定する。そして、ステップＳ８で消去ＬＥＤ６６および冷却ＬＥＤ６７を点灯することに基いて消去コースの設定を使用者に報知し、ステップＳ９でスタート待ち時間の計測結果をＲＯＭ６１に予め記録された上限値と比較する。ここでスタート待ち時間の計測結果が上限値に到達していないことを検出したときにはステップＳ１０へ移行し、スタートスイッチ７７の操作状態を判断する。
【００２９】
ＣＰＵ６０はステップＳ１０でスタートスイッチ７７の操作を検出すると、ステップＳ１１で運転コースの設定状態を判断する。例えば運転コースが消去コースに設定されていることを検出したときにはステップＳ１２で運転コースを消去コースから冷却コースに変更し、ステップＳ１３で消去ＬＥＤ６６を消灯する。この状態では冷却ＬＥＤ６７が点灯し、使用者に冷却コースの設定が報知される。
【００３０】
ＣＰＵ６０はステップＳ１１で運転コースが冷却コースに設定されていることを検出すると、ステップＳ１４で運転コースを冷却コースから消去コースに変更し、ステップＳ１５で消去ＬＥＤ６６を点灯する。この状態では消去ＬＥＤ６６および冷却ＬＥＤ６７が点灯し、使用者に消去コースの設定が報知される。即ち、消去コースおよび冷却コースはスタートスイッチ７７の操作毎に交互に切換えられるものであり、スタート待ち時間が経過することに基いて確定する。
【００３１】
ＣＰＵ６０はステップＳ９でスタート待ち時間の計測結果が上限値に到達したことを検出すると、ステップＳ１６で運転コースの設定状態を判断する。ここで消去コースが設定されていることを検出したときにはステップＳ１７へ移行し、蓋スイッチ３８からの出力信号に基いて蓋ケース２の開閉を判断する。
ＣＰＵ６０はステップＳ１７で蓋ケース２が閉鎖されていることを検出すると、ステップＳ１８でロックモータ４０を駆動することに基いてロックピン４７をロック状態に突出させ、蓋ケース２を閉鎖状態にロックする。そして、ステップＳ１９でロックＬＥＤ６８を点滅させ、蓋ケース２が閉鎖状態にロックされたことを使用者に報知する。即ち、ロックピン４７は蓋ケース２が閉鎖されていることを条件にアンロック状態からロック状態に移動操作されるものである。
【００３２】
ＣＰＵ６０はステップＳ１９でロックＬＥＤ６８を点滅させると、ステップＳ２０で下ヒータ１５および上ヒータ２１をＲＯＭ６１に予め記録された同一の昇温パターンで駆動し、ステップＳ２１で消去ＬＥＤ６６を点滅させることに基いて消去コースの開始を使用者に報知する。この昇温パターンは下ヒータ１５および上ヒータ２１に電源を継続的に供給する内容のものであり、下ヒータ１５および上ヒータ２１は、図１０に示すように、昇温パターンで駆動することに基いて昇温する。
【００３３】
ＣＰＵ６０は図８のステップＳ２１で消去ＬＥＤ６６を点滅させると、ステップＳ２２で上温度センサ２２からの出力信号および下温度センサ７９からの出力信号に基いて上ヒータ２１の温度および下ヒータ１５の温度を検出し、両検出温度をＲＯＭ６１に予め記録された消去温度（具体的には１２０°Ｃ）と比較する。ここで上ヒータ２１の検出温度および下ヒータ１５の検出温度の双方が消去温度に到達したことを検出したときにはステップＳ２３へ移行し、コントロールモードを有効化する。このコントロールモードの有効状態では上温度センサ２２からの出力信号および下温度センサ７９からの出力信号に基いて上ヒータ２１および下ヒータ１５がオンオフ制御され、上加熱板４および下加熱板３が一定の消去温度に維持される。
【００３４】
ＣＰＵ６０はステップＳ２３でコントロールモードをオンすると、図９のステップＳ２４で消去時間の計測動作を開始し、ステップＳ２５で消去時間の計測結果をＲＯＭ６１に予め記録された上限値と比較する。即ち、消去時間は下加熱板３および上加熱板４の双方が同一の消去温度に到達することを条件に計測開始されるものである。
ＣＰＵ６０はステップＳ２５で消去時間の計測結果が上限値に到達していないことを検出すると、ステップＳ２６で上ヒータ２１の検出温度および下ヒータ１５の検出温度をＲＯＭ６１に予め記録された強制冷却温度（具体的には１５０°Ｃ）と比較する。例えば上ヒータ２１の検出温度および下ヒータ１５の検出温度の双方が強制冷却温度に到達することなく消去時間が上限値に到達したときにはステップＳ２５からステップＳ２７へ移行し、下ヒータ１５および上ヒータ２１をオフする。そして、ステップＳ２８で消去ＬＥＤ６６を消灯し、使用者に消去運転の終了を報知する。
【００３５】
ＣＰＵ６０はステップＳ２８で消去ＬＥＤ６６を消灯すると、ステップＳ２９でファンモータ２６をオンすることに基いて冷却運転を開始し、ステップＳ３０で冷却ＬＥＤ６７を点滅させることに基いて使用者に冷却運転中であることを報知する。この冷却運転中には冷却ファン２７から加熱室内に冷却風が送られ、加熱室内の印刷物が冷却される。
ＣＰＵ６０はステップＳ３０で冷却ＬＥＤ６７を点滅させと、ステップＳ３１で上ヒータ２１の検出温度および下ヒータ１５の検出温度をＲＯＭ６１に予め記録された冷却温度と比較する。ここで上ヒータ２１の検出温度および下ヒータ１５の検出温度の双方が冷却温度に降下したことを検出したときにはステップＳ３２へ移行し、ファンモータ２６をオフすることに基いて冷却運転を終える。そして、ステップＳ３３へ移行し、冷却ＬＥＤ６７を消灯することに基いて冷却運転の終了を使用者に報知する。即ち、冷却運転は上ヒータ２１の温度および下ヒータ１５の温度の双方が冷却温度に下降することを条件に停止するものである。
【００３６】
ＣＰＵ６０はステップＳ３３で冷却ＬＥＤ６７を消灯すると、ステップＳ３４でロックモータ４０を駆動することに基いてロックピン４７をアンロック状態に退避させ、ステップＳ３５でロックＬＥＤ６８を消灯することに基いて使用者に蓋ケース２のロック解除を報知する。そして、ステップＳ３６で電源リレー７３のコイル７５を消拠し、主電源を遮断することに基いて処理を終える（オートパワーオフ）。
【００３７】
ＣＰＵ６０は図８のステップＳ１６で冷却コースが設定されていることを検出すると、図９のステップＳ２９でファンモータ２６をオンすることに基いて冷却運転を開始し、ステップＳ３０で冷却ＬＥＤ６７を点滅させる。そして、ステップＳ３１で上ヒータ２１および下ヒータ１５が冷却温度に降温したことを検出したときにはステップＳ３２でファンモータ２６をオフし、ステップＳ３３で冷却ＬＥＤ６７を消灯する。次に、ステップＳ３４で蓋ケース２のロックを解除し、ステップＳ３５でロックＬＥＤ６８を消灯する。
【００３８】
即ち、使用者が消去運転中に切スイッチ７１を操作したときには主電源が蓋ケース２のロック状態で遮断される。この場合には入スイッチ７０を操作することに基いて主電源を再投入し、スタートスイッチ７７をスタート待ち時間内で２度押しすれば冷却コースが設定され、消去運転を行うことなく冷却運転が開始される。そして、冷却運転の終了に連動して蓋ケース２がロック解除されるので、蓋ケース２を開放操作することに基いて印刷物を降温状態で追加投入したり取出すことができる。
【００３９】
ＣＰＵ６０は図９のステップＳ２６で上ヒータ２１および下ヒータ１５の少なくとも一方が強制冷却温度に到達したことを検出すると、ステップＳ２７で下ヒータ１５および上ヒータ２１をオフすることに基いて消去運転を強制的に途中停止し、ステップＳ２８で消去ＬＥＤ６７を消灯する。そして、ステップＳ２９で冷却運転を開始し、ステップＳ３４で蓋ケース２をロック解除する。即ち、消去運転中に下ヒータ１５および上ヒータ２１の少なくとも一方が異常昇温したときには加熱室内が強制冷却温度に到達する。この場合には消去運転が直ちに停止し、加熱室内が冷却温度まで強制的に冷却される。そして、加熱室内の冷却状態で蓋ケース２の開放操作が許容される。
【００４０】
上記第１実施例によれば次の効果を奏する。
印刷物を加熱することに基いて印刷物に形成された画像を消去した。このため、溶媒の取扱いに配慮する必要がなくなるので、室内スペースで安全に運転を行うことができる。
スタートスイッチ７７の操作内容に応じて運転コースを設定し、下ヒータ１５・上ヒータ２１・ファンモータ２６・ロックモータ４０を運転コースの設定結果に応じたパターンで駆動制御した。このため、冷却コースを設定したときには消去運転を行うことなく冷却運転が行われ、冷却運転の終了に連動して蓋ケース２がロック解除されるので、蓋ケース２がロック解除されるまでの待機時間が消去運転に続けて冷却運転を行う場合に比べて短くなる。従って、使用者が冷却コースを指定することで、用紙トレイ１６内に印刷物を追加投入したり用紙トレイ１６内から印刷物を取出すときの待ち時間を短縮できる。
【００４１】
スタートスイッチ７７の操作回数に応じて消去コースおよび冷却コースを設定した。このため、消去コースおよび冷却コース毎にスイッチを設ける必要がなくなるので、構成が簡単になる。
運転の進行状態を表示する運転表示器６９を設けた。このため、現在の運転内容を使用者が知ることができるので、利便性が高まる。
【００４２】
下ヒータ１５および上ヒータ２１を駆動開始してから下温度センサ７９の検出温度および上温度センサ２２の検出温度が冷却温度に降下するまでロックＬＥＤ６８を点滅させ、蓋ケース２を閉鎖状態にロックした。このため、使用者が蓋ケース２を開放操作することができなくなるので、安全性が高まる。しかも、印刷物が冷却温度以上に昇温していることをロックＬＥＤ６８の点滅から知ることができる。
【００４３】
上温度センサ２２の検出温度および下温度センサ７９の検出温度の双方が消去温度に到達してから消去時間が経過することに基いて上ヒータ２１および下ヒータ１５を駆動停止したので、上温度センサ２２の検出温度および下温度センサ７９の検出温度の双方が消去温度に到達するまでの昇温時間（図１０参照）が外気温度の影響でばらつくことを考慮してトータルの運転時間を設定する必要がなくなる。
＜実施例２＞
操作パネル６３には、図１１に示すように、操作手段に相当するコーススイッチ８０が装着されており、制御装置５９はコーススイッチ８０の操作回数に応じて少枚数コース・標準枚数コース・多枚数コースを選択的に設定し、消去時間を運転コースの設定結果に基いて短時間・標準時間・長時間に設定する。
【００４４】
上記第２実施例によれば、印刷物の投入枚数に応じて運転コースを指定することで消去時間を調整した。このため、画像を印刷物の投入枚数に応じた短時間で消去することができるので、運転効率が高まる。
上記第１〜第２実施例においては、ロックＬＥＤ６８を用いて印刷物の加熱を報知したが、これに限定されるものではなく、例えば専用の高温ＬＥＤを点滅させることに基いて報知しても良い。
【００４５】
上記第１〜第２実施例においては、制御データとして下ヒータ１５の表面温度および上ヒータ２１の表面温度の双方を使用したが、これに限定されるものではなく、例えば下ヒータ１５の表面温度および上ヒータ２１の表面温度のいずれか一方を使用したり、加熱室の室温を使用しても良い。
上記第１〜第２実施例においては、運転の進行状態を光で報知したが、これに限定されるものではなく、例えば映像や音で報知しても良い。
【００４６】
上記第１〜第２実施例においては、印刷物が高温であることを光で報知器したが、これに限定されるものではなく、例えば映像や音で報知しても良い。
【図面の簡単な説明】
【００４７】
【図１】本発明の第１実施例を示す図（画像消去装置の外観を示す斜視図）
【図２】画消去装置の内部構成を機構板の除去状態で示す側面図
【図３】画像消去装置の内部構成を示す前面図
【図４】ドアロック機構の内部構成を示す前面図（ａはロック状態を示す図、ｂはアンロック状態を示す図）
【図５】操作パネルを示す図
【図６】電気的構成を示すブロック図
【図７】電源の供給経路を示す図
【図８】制御装置の制御内容を示すフローチャート
【図９】制御装置の制御内容を示すフローチャート
【図１０】消去時間と消去温度との関係を示す図
【図１１】本発明の第２実施例を示す図５相当図
【符号の説明】
【００４８】
２２は上温度センサ（温度検出手段）、２３は加熱手段、２９は冷却ファン装置（冷却手段）、５９は制御装置（制御手段）、６８はロックＬＥＤ（昇温報知手段）、６９は運転表示器（運転報知手段）、７７はスタートスイッチ（操作手段）、７９は下温度センサ（温度検出手段）、８０はコーススイッチ（操作手段）を示している。
【図１】
2006035567.tif 000003
【図２】
2006035567.tif 000004
【図３】
2006035567.tif 000005
【図４】
2006035567.tif 000006
【図５】
2006035567.tif 000007
【図６】
2006035567.tif 000008
【図７】
2006035567.tif 000009
【図８】
2006035567.tif 000010
【図９】
2006035567.tif 000011
【図１０】
2006035567.tif 000012
【図１１】
2006035567.tif 000013